(57)【特許請求の範囲】
【請求項１】
液透過性の表面シートと、
液不透過性の裏面シートと、
これら前記表面シートと前記裏面シートとの間に配されるシート状をなす吸収体と
を有する吸収性本体を具え、この吸収性本体の前記表面シート側の表面に複数の凹部が形成された吸収性物品であって、
個々の前記凹部は、前記吸収体の長手方向に対して交差する第１の方向に延在する第１のパターンと、前記吸収体の長手方向に対して前記第１のパターンとは逆方向に交差した第２の方向に延在する第２のパターンとを有し、これら第１のパターンおよび第２のパターンは、前記吸収体の長手方向に沿ってそれぞれ複数配列されており、
前記吸収体の幅方向に沿って前記凹部を横切る任意の位置において、前記吸収体の幅方向に沿った前記凹部の長さの合計が同じであることを特徴とする吸収性物品。
【請求項２】
個々の前記第１のパターンは、それぞれ複数の凹部を破線状に配列することにより形成され、個々の前記第２のパターンは、それぞれ複数の凹部を破線状に配列することにより形成されていることを特徴とする請求項１に記載の吸収性物品。
【請求項３】
前記吸収体の周縁およびその近傍には、前記凹部が形成されないことを特徴とする請求項１に記載の吸収性物品。
【発明の詳細な説明】
【技術分野】
【０００１】
本発明は、液不透過性の裏面シートと表面シートとの間に吸収体が配された吸収性本体を具える吸収性物品に関する。
【背景技術】
【０００２】
子供用または大人用のおむつ，女性用生理用品，軽中度失禁パッド，ペット用排泄処理用品など、液透過性の表面シートと裏面シートとの間に吸収体を介在させた吸収性本体を具えた各種吸収性物品が知られている。このような吸収性物品において、尿などの液体を吸収保持するための吸収体は、主にフラッフ状パルプと高吸液性樹脂、すなわちＳＡＰ(Superabsorbent polymer)との混合体である吸収性コアと、この吸収性コアを包むティッシュなどのコア被覆材とで構成される。
【０００３】
このような吸収性物品に対し、省資源化，物流コストの削減，小売店などでの棚効率の改善などの観点から、超薄型あるいは超々薄型と呼称される軽量かつコンパクトなものが要求され、これが現在の主流になりつつある。このような超薄型の吸収性物品を実現し得る最大のポイントは、吸収性物品において重量および体積の大部分を占める吸収体そのものの重量を下げ、かつこれをコンパクトにすることである。すなわち、フラッフ状パルプとＳＡＰとの混合体で構成された吸収体コアの薄型化は、ＳＡＰの相対含有率を高めたり、混合体に代えてシート状ＳＡＰを用いることで実現化されている。
【０００４】
しかしながら、吸収体中のＳＡＰの相対含有率を高めたり、混合体に代えてシート状ＳＡＰを用いて吸収体の薄型化を企図した場合、ＳＡＰの含有率を５０〜６０％程度よりも高くすることが基本的に困難である。その理由は、ＳＡＰのゲルブロック現象や吸収特性にあり、特に問題となるのは、ＳＡＰの吸収保持性は高いものの、その吸収速度、特に吸収の立ち上がり速度が遅いという特性に起因するためである。例えば、尿などの排出速度は個人差，性差，年齢差などによって異なるが、最も早い例では１００ccの尿が１０秒前後で排出される。これに対し、ＳＡＰはその吸収速度が改善されたものであっても、液体が接してから吸収能力を充分に発揮する状態に至るまで、少なくとも３０秒以上の時間を必要とする。このような尿の排出速度と吸収体の一部を構成するＳＡＰによる液体の吸収速度との間に存在する大きな速度差によって、尿の排出直後の段階では、尿の大部分が未吸収のまま吸収性本体に滞留することとなる。そして、この未吸収の尿の吸収性本体内での自由な移動が、吸収性物品からの尿の漏れの大きな原因となる。
【０００５】
このようなことから、尿が排出される吸収性本体の股下領域から、吸収性本体の前身頃領域および後身頃領域へと迅速に尿を誘導拡散させるための圧搾凹部を吸収体の表面に形成して尿漏れを抑制するようにした技術が特許文献１などで提案されている。
【０００６】
一方、吸収体におけるＳＡＰの含有率を高めるに従い、吸収体自体のしなやかさが失われる傾向を持つ。吸収性本体の股下領域には、吸収性物品の着用者の動き、特に両脚の動きによって大きな捩れ力が加わるため、吸収体のしなやかさが損なわれることは、吸収性物品の着用時における違和感の増大につながる。そこで、吸収性本体の表面に格子形状の圧搾溝を形成し、吸収性本体に加わる捩れ力に追従して吸収性本体をこれら圧搾溝の部分から容易に屈曲させるようにした技術が引用文献２などで提案されている。
【先行技術文献】
【特許文献】
【０００７】
【特許文献１】特開２０１２−１４３５３５号公報
【特許文献２】特開２０１５−１６２１８号公報
【発明の概要】
【発明が解決しようとする課題】
【０００８】
特許文献１にて提案された圧搾凹部や特許文献２にて提案された圧搾溝は、通常、エンボス加工の技術を利用して吸収性本体の表面に形成することができる。すなわち、圧搾凹部や圧搾溝に対して相補的な形状を外周面に持つ成形ロールと、外周面が平坦な平ロールとをこれらの回転軸線が平行となるように適切な間隔で配置し、これらを同期回転させつつこれらの間に吸収性本体を送り込んで通過させる。この時、吸収性本体の表面の一部が成形ロールによって塑性変形し、圧搾凹部や圧搾溝が形成されるようになっている。
【０００９】
ところが、特許文献２に開示された格子形状の圧搾溝を吸収性本体の表面に形成する場合、成形ロールによる成形深さを均一に設定していても、得られる圧搾溝の深さが場所によって異なってしまうことが判明した。より具体的には、各格子の交点部分が他の部分よりも強く塑性変形し、各交点の中間の格子部分よりも圧搾溝の深さがより深くなり、圧搾溝の形状によっては吸収体を覆う表面シートが剪断によって破れてしまうことがあった。また、格子の交点部分がより強い塑性変形を生ずるため、この交点部分の吸収体の剛性が周囲よりも高くなりすぎ、着用時に肌触りが悪化してしまう傾向を持つ。
【００１０】
本発明の目的は、しなやかさを確保するための格子状の凹部が均一な深さにて形成され、しかもこの凹部の成形時に表面シートが破れたりせず、凹部の全域に亙って剛性をほぼ一定に維持し得る吸収性物品を提供することにある。
【課題を解決するための手段】
【００１１】
本発明による吸収性物品は、液透過性の表面シートと、液不透過性の裏面シートと、これら表面シートと裏面シートとの間に配されるシート状をなす吸収体とを有する吸収性本体を具え、この吸収性本体の前記表面シート側の表面に複数の凹部が形成された吸収性物品であって、前記吸収体の幅方向に沿って前記凹部を横切るような任意の位置において、前記吸収体の幅方向に沿った前記凹部の長さの合計が同じであることを特徴とするものである。
【００１２】
ここで、「凹部の長さの合計が同じである」という表現は、吸収性本体の製造誤差に伴う物理的性質のむらや寸法誤差ならびにエンボス加工誤差などを考慮し、上述した本発明の目的を達成することができる均等の範囲において同じであることを意味している。また、「吸収体の幅方向」とは、表面シートと共に吸収性本体の吸収体に凹部をエンボス加工する際の成形ロールの回転軸線と平行な方向を意味し、成形ロールを用いて凹部をエンボス加工する際、個々の凹部の成形圧力、すなわち線圧がすべて同一になる。
【００１３】
本発明による吸収性物品において、個々の凹部は、吸収体の長手方向に対して交差した第１の方向に延在する第１のパターンと、吸収体の長手方向に対して第１のパターンとは逆方向に交差した第２の方向に延在する第２のパターンとを有し、これら第１のパターンおよび第２のパターンとは、前記吸収体の長手方向に沿ってそれぞれ複数配列しているものであってよい。
【００１４】
なお、「吸収体の長手方向」とは、「吸収体の幅方向」に対して直交する方向、すなわち表面シートと共に吸収性本体の吸収体に凹部をエンボス加工する際の成形ロールの回転軸線に対して直交する方向を意味する。
【００１５】
個々の第１のパターンは、それぞれ複数の凹部を不連続に配列することにより形成され、個々の第２のパターンは、それぞれ複数の凹部を不連続に配列することにより形成されるものであってよい。あるいは、個々の第１のパターンは、それぞれ第１の方向に延在する単一の凹部によりそれぞれ形成され、個々のび第２のパターンは、それぞれ第２の方向に延在する単一の凹部によりそれぞれ形成されるものであってよい。
【００１６】
吸収体の周縁およびその近傍に凹部を形成しないことが好ましい。
【００１７】
吸収性物品が尿吸収パッドであってよい。この場合、吸収性本体は、表面シートに重なるように表面シートの幅方向両側に配され、幅方向外側端縁部が裏面シートに接合される一対の側方シートと、これら一対の側方シートの幅方向内側端縁部に当該側方シートの長手方向に沿って伸長状態で配される弾性部材とをさらに有することができる。
【００１８】
裏面シートが接合される外装シートと、表面シートに重なるように吸収性本体の幅方向両側に配され、幅方向外側端縁部が外装シートに接合される一対の側方シートと、これら一対の側方シートの幅方向内側端縁部に当該側方シートの長手方向に沿って伸長状態で配される弾性部材とをさらに具えることができる。
【発明の効果】
【００１９】
本発明の吸収性物品によると、成形ロールを用いて凹部をエンボス加工する際に、個々の凹部の成形圧力をすべて同一にすることができる。この結果、凹部の成形時に成形圧力の変化によって表面シートが破れたりせず、成形される凹部の全域に亙って剛性をほぼ均一にすることができる。
【００２０】
個々の凹部が、第１のパターンと、この第１のパターンと交差する第２のパターンとを有し、これら２つのパターンを吸収体の長手方向に沿ってそれぞれ複数配列した場合、特にねじれに対する吸収性本体のしなやかさを向上させることができる。
【００２１】
個々の第１および第２のパターンがそれぞれ複数の凹部を不連続に配列することにより形成されている場合、凹部の形成に伴って増大する吸収性本体の剛性を軽減させることができる。
【００２２】
個々の第１および第２のパターンがそれぞれ第１および第２の方向に延在する単一の凹部によりそれぞれ形成されている場合、尿などの液体の誘導路として凹部を機能させ、液体をより迅速に拡散させることが可能となる。
【００２３】
吸収体の周縁およびその近傍に凹部を形成しない場合、凹部により吸収性本体の周縁近傍まで誘導された液体が吸収性本体の周縁から溢れるような不具合を未然に防止することができる。
【００２４】
吸収性物品が尿吸収パッドの場合、吸収性本体が一対の側方シートと、これら側方シートの幅方向内側端縁部に伸長状態で配される弾性部材とをさらに有することにより、尿漏れを防止するための立体ギャザーとして側方シートを機能させることができる。
【図面の簡単な説明】
【００２５】
【図１】本発明による吸収性物品をパンツ型使い捨ておむつに適用した一実施形態の外観を模式的に表す立体投影図である。
【図２】図１に示した実施形態の閉じ合わせ部を破って展開した状態の一部破断平面図である。
【図３】図２に示した展開状態のおむつを分解した立体投影図である。
【図４】図２中のIV−IV矢視に沿った断面図である。
【図５】図１に示した実施形態における吸収性本体の拡大平面図であり、側方シートを除去した状態で示している。
【図６】図５中の矢視VI部を抽出拡大した平面図である。
【図７】図５中のVII−VII矢視に沿った拡大断面図である。
【図８】本発明による吸収性物品の他の実施形態による吸収性本体の平面図である。
【図９】本発明による吸収性物品のさらに別な実施形態による吸収性本体の平面図である。
【発明を実施するための形態】
【００２６】
本発明による吸収性物品をパンツ型使い捨ておむつに適用した実施形態について、図１〜図９を参照しながら詳細に説明する。しかしながら、本発明はこのような実施形態に限らず、その特許請求の範囲に記載された本発明の概念に包含されるあらゆる変更や修正が可能である。
【００２７】
本実施形態によるパンツ型使いすておむつの外観を図１に示し、その閉じ合わせ部を破って内側を表にして展開した状態の外観を図２に示し、これをさらに分解した状態の外観を図３に示し、図２中のIV−IV矢視に沿った断面構造を模式的に図４に示す。すなわち、本実施形態におけるパンツ型使いすておむつ（以下、単におむつと記述する）１０は、ウエスト周り開口部１１および左右一対の脚周り開口部１２が形成された外装部材１３と、この外装部材１３の内側に配される吸収性本体１４とで主要部が構成される。
【００２８】
外装部材１３は、液不透過性の外側シート１５と、着用者の肌に触れる内側シート１６と、ウエスト周り弾性部材１７と、左右一対の脚周り弾性部材１８とで構成される。ウエスト周り弾性部材１７および左右一対の脚周り弾性部材１８は、外側シート１５と、この外側シート１５とほぼ同じ寸法形状を有する不織布にて形成された内側シート１６との間に伸長状態で配される。ウエスト周り弾性部材１７によって着用者のウエストの部分に対応するウエスト周り開口部１１が絞られ、ここにウエストギャザー１１ｇが形成される。同様に、左右一対の脚周り弾性部材１８によって着用者の両脚の太股部分に対応する左右一対の脚周り開口部１２がそれぞれ絞られ、ここにそれぞれレッグギャザー１２ｇが形成される。
【００２９】
また、おむつ１０の前身頃領域１０Ｆおよび後身頃領域１０Ｂにおける外装部材１３の左右両側縁部には、ウエスト周り開口部１１と脚周り開口部１２とにつながる左右一対の閉じ合わせ部１９が形成されている。図２に示す展開状態から外装部材１３の前後の閉じ合わせ部１９を相互に重ね合わせ、これらの当接部分をホットメルト接着法や、加圧溶融接着法、あるいは超音波溶融接着法などを単独または適宜組み合わせて接合する。これにより、ウエスト周り開口部１１と左右一対の脚周り開口部１２とが形成された図１に示すようなおむつ１０を得ることができる。
【００３０】
細長い矩形のシート状をなす吸収性本体１４は、おむつ１０の前身頃領域１０Ｆから左右の脚周り開口部１２の間の股下領域１０Ｇを通って後身頃領域１０Ｂまで延在する。本実施形態における吸収性本体１４は、液不透過性の裏面シート２０と、この裏面シート２０よりも少し小さめの寸法形状を持つ液透過性の表面シート２１と、細長いシート状をなす吸収体２２と、左右一対の側方シート２３とで主要部が構成されている。なお、本実施形態における側方シート２３は液不透過性を有するものであるが、これに限定されない。
【００３１】
裏面シート２０は、外装部材１３の内側シート１６に重ね合わせた状態で接合され、その上に吸収体２２と表面シート２１と側方シート２３とが順に重ね合わされる。吸収体２２は、通常、フラッフ状パルプとＳＡＰとの混合体である吸収性コアと、この吸収性コアを包むティッシュなどのコア被覆材とで構成されているが、これに限定されない。また、吸収体２２の輪郭形状に関しても、本実施形態の如き矩形に限らず、任意の輪郭形状をその目的に応じて適宜採用することが可能である。このような吸収体２２全体を覆う表面シート２１の外周端縁が裏面シート２０の外周縁部に接合されている。さらに、側方シート２３の左右両側端縁部が裏面シート２０の側端縁部に接合され、側方シート２３の長手方向両端縁部も裏面シート２０の長手方向両端縁部に接合されている。従って、表面シート２１の左右両側に覆い重なる左右一対の側方シート２３の内側部分（図２中、中央側）は、表面シート２１に対して非接合状態となっている。この内側部分で立体ギャザー２３ｇを形成するため、側方シート２３の内側端縁部に糸ゴム２４が伸張状態で接合されている。
【００３２】
従って、このようなおむつ１０を着用した状態では、尿や便は、吸収性本体１４の表面シート２１上に導かれ、水分が表面シート２１を通過して吸収体２２に吸収されることとなる。
【００３３】
本実施形態における吸収性本体１４の平面形状を図５に示し、その矢視VI部を抽出拡大して図６に示し、図５中のVII−VII矢視に沿った断面形状を拡大して図７に示すが、図５および図６には側方シート２３が便宜的に省略して描かれている。吸収性本体１４の表面、すなわち裏面シート２０と反対側の表面シート２１側には、複数の凹部２５が形成されている。これら複数の凹部２５は、凹部２５に対して相補的な形状を外周面に持つ成形ロールを用いた周知のエンボス加工により、吸収性本体１４の表面、すなわち表面シート２１と共に吸収体２２に形成される。本実施形態における個々の凹部２５は、吸収性本体１４の幅方向（図５中、左右方向）に対してそれぞれ４５度の傾斜角を持つ相互に逆向きの２種類の平行四辺形状をそれぞれ有する。一方の種類の凹部２５Aは、吸収体２２の長手方向（図５中、上下方向）に対して４５度傾斜した第１の方向ＯAに沿って延在する第１のパターンを形成し、この第１のパターンは吸収体２２の長手方向に沿って所定間隔で平行に配列する。他方の種類の凹部２５Bは、吸収体２２の長手方向に対して第１のパターンと直交する第２の方向ＯBに沿って延在する第２のパターンを形成し、この第２のパターンは吸収体２２の長手方向に沿って所定間隔で平行に配列する。本実施形態における個々の第１および第２のパターンは、それぞれ複数の凹部２５A，２５Bを不連続に配列することによって形成されている。
【００３４】
本実施形態では、吸収性本体１４の長手方向に沿って複数の凹部２５が形成される領域と凹部２５が全く形成されない領域とが交互に配列した状態となっている。また、吸収体２２の幅方向に沿って凹部２５を横切るような任意の位置において、吸収体２２の幅方向に沿った凹部２５の長さＷの合計がどこの位置でも同じとなるように設定されている。例えば、図６のＰ1の位置における吸収体２２の幅方向に沿った凹部２５の長さＷの合計は６Ｗであり、Ｐ2の位置における吸収体２２の幅方向に沿った凹部２５の長さＷの合計も６Ｗである。これにより、成形ロールを用いて凹部２５をエンボス加工する際、個々の凹部２５の成形圧力、すなわち線圧をすべて同一にすることができ、個々の凹部２５の深さが均一となる。結果として、凹部２５の成形時に成形圧力の変化によって表面シート２１が破れたりせず、成形される凹部２５の全域に亙って吸収性本体１４の剛性をほぼ均一にすることができる。
【００３５】
第１の方向ＯAに沿って配列する凹部２５Aの間隔は、第１の方向ＯAに沿って隣接する凹部２５A間の領域ＺAがエンボス加工される表面シート２１および吸収体２２の圧縮変形に引きつられて窪み、第１の方向ＯAに沿って連続した溝状をなすように設定される。同様に、第２の方向ＯBに沿って配列する複数の凹部２５Bの間隔もまた、第２の方向ＯBに沿って隣接する凹部２５B間の領域ＺBがエンボス加工される表面シート２１および吸収体２２の圧縮変形に引きつられて窪み、第２の方向ＯBに沿って連続する溝状をなすように設定される。本実施形態においては、第１のパターンと第２のパターンとが交差する領域ＺCには凹部２５を形成していないが、先にも述べたようにここは溝状の窪みとなる。凹部２５を形成する前の吸収性本体１４の厚みＴを１００とした場合、凹部２５の厚みＴCはおよそ１５〜４５前後に設定される。また、第１および第２の方向ＯA，ＯBに沿ってそれぞれ隣接する凹部２５A間，２５B間の領域の厚みＴMはおよそ３０〜７０前後となるようにそれぞれ設定されることが好ましいが、これに限定されない。
【００３６】
これにより、吸収性本体１４の長手方向両端部にその長手方向軸線を中心として逆方向にねじるような力を加えた場合、吸収性本体１４の表面の矩形の溝格子状をなす窪みが吸収性本体１４の変形促進領域となる。つまり、おむつ１０の着用者の両脚の動きに対する吸収性本体１４の股下領域の追従性が改善され、着用に伴う違和感を少なくすることができる。しかも、複数の凹部２５による第１および第２のパターンを上述したような溝状とすることにより、これらを尿などの液体を吸収体２２の中央領域から端縁領域へと迅速に導くための通路として機能させることも可能となる。
【００３７】
なお、吸収体２２の周縁まで凹部２５を形成した場合、ここに誘導される液体が吸収体２２の周縁から漏れる可能性があるため、本実施形態では吸収体２２の周縁およびその近傍には凹部２５を形成していない。
【００３８】
本実施形態では、第１および第２のパターンによって正方形の格子パターンが形成されるように、吸収体２２の長手方向に沿った第１および第２のパターンの配列間隔を等しく設定しているが、これに限定されない。また、吸収体２２の長手方向に対して第１および第２のパターンをそれぞれ４５度傾斜させたが、これに限定されず、およそ３０度から６０度までの範囲の傾斜角にすることが本発明の効果を良好に得る上で好ましいと言えよう。
【００３９】
上述した実施形態では、それぞれ複数の凹部２５A，２５Bを不連続に配列することによって個々の第１および第２のパターンを形成したが、これらを第１および第２の方向にそれぞれ延在する単一の凹部によってそれぞれ形成することも可能である。
【００４０】
このような本発明による吸収性本体１４の他の実施形態の平面構造を模式的に図８に示すが、先の実施形態と同じ機能の要素には同じ符号を記してある。すなわち、本実施形態では第１のパターンおよび第２のパターンがそれぞれ第１および第２の方向ＯA，ＯBに延在する単一の凹部２５A，２５Bによってそれぞれ形成され、第１および第２の方向ＯA，ＯBを吸収性本体１４の長手方向に対してそれぞれ４５度傾斜させている。そして、吸収体２２の幅方向に沿って凹部２５を横切るような任意の位置において、吸収体２２の幅方向に沿った凹部２５の長さＷの合計がどこの位置、例えばＰ3〜Ｐ5でも同じ４Ｗとなるように設定されている。より具体的には、第１および第２のパターンによって画成される溝格子の中央部分に正方形状または直角二等辺三角形状の凹部２５Mを１個ずつまたは２個ずつ形成している。正方形状の凹部２５Mは、第１および第２のパターンが重なり合う領域ＺCの形状と同一であり、直角二等辺三角形状の凹部２５Mは、正方形状の凹部２５Mをその対角線の部分で２分割した形状と同じである。
【００４１】
これにより、成形ロールを用いて凹部２５をエンボス加工する際の線圧をすべて同一にすることができ、個々の凹部２５の深さが均一となる。結果として、凹部２５の成形時に成形圧力の変化によって表面シート２１が破れたりせず、成形される凹部２５の全域に亙って吸収性本体１４の剛性をほぼ均一にすることができる。
【００４２】
なお、各凹部２５Mの位置は、格子状をなす第１および第２のパターンの交点領域ＺCが吸収体２２の幅方向に沿って配列している位置にあればよく、本実施形態のように格子の中央部分に形成する必然性はない。本実施形態においても、溝状の凹部２５を利用して液体を吸収体２２の中央領域からこれらの周縁部へと誘導させ、吸収体２２の全域に亙って液体を迅速に拡散させることができ、吸収性本体１４に作用するねじれに対する追従性も確保することが可能である。
【００４３】
図５〜図７に示した実施形態においては、吸収性本体１４の幅方向に整列する溝格子の交点部分に凹部２５が形成されないようにしたけれども、吸収性本体１４の長手方向に整列する溝格子の交点領域に凹部２５が形成されないようにすることも可能である。
【００４４】
このような吸収性本体１４のさらに別な実施形態の平面構造を模式的に図９に示すが、先の実施形態と同じ機能の要素には同じ符号を記してある。本実施形態においては、複数の凹部２５を吸収性本体１４の長手方向に沿って延在する波形形状とし、第１のパターンと第２のパターンとを交互に形成している。このため、第１および第２のパターンはそれぞれ第１および第２の方向ＯA，ＯBに沿って間欠的に形成されることとなる。本実施形態では、吸収体２２の幅方向に沿った任意の位置Ｐnにおいて、吸収体２２の幅方向に沿った凹部２５の長さＷの合計がどこの位置でも同じ４Ｗとなるように、連続する凹部２５の幅寸法ｄを吸収体２２の長手方向に沿って連続的に変化させている。
【００４５】
本実施形態においても、連続した溝状の凹部２５を利用して液体を吸収体２２の長手方向中央部分からその長手方向両端部側へと誘導させ、吸収体２２の全域に亙って液体を迅速に拡散させることができる。また、吸収性本体１４に作用するねじれに対する追従性も確保することができることは先の実施形態と同様である。
【００４６】
本発明による吸収性物品は、上述したパンツ型使い捨ておむつに限らず、テープ型の使い捨ておむつや尿漏れパッドなどの各種吸収性物品に適用可能である。例えば、本発明を尿漏れパッドに適用させる場合、上述した吸収性本体１４をそのまま尿漏れパッド、すなわち吸収性物品として用いることができる。このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００４７】
１０  おむつ（パンツ型使いすておむつ）
１３  外装部材
１４  吸収性本体
２０  裏面シート
２１  表面シート
２２  吸収体
２３  側方シート
２３ｇ  立体ギャザー
２４  糸ゴム
２５  凹部
２５A  第１の方向に配列する凹部
２５B  第２の方向に配列する凹部
２５M  溝格子とは別に形成される凹部
ＯA  第１の方向
ＯB  第２の方向
Ｗ  吸収体の幅方向に沿った凹部の長さ
Ｐ1〜Ｐ5  吸収体の幅方向に沿って凹部を横切る任意の位置
ＺC  第１のパターンと第２のパターンとが交差する領域
【図１】
0006365406.tif 000002
【図２】
0006365406.tif 000003
【図３】
0006365406.tif 000004
【図４】
0006365406.tif 000005
【図５】
0006365406.tif 000006
【図６】
0006365406.tif 000007
【図７】
0006365406.tif 000008
【図８】
0006365406.tif 000009
【図９】
0006365406.tif 000010